(57)【特許請求の範囲】
【請求項１】
収容部材とは別に、これを受け止めるための支柱ジョイントを用意し、支柱ジョイント（２０）の３方向（２０Ａ、２０Ｂ、２０Ｃ）において３本の支柱（１、１、１）を連結することにより、連結された支柱（１・・・１）及び支柱ジョイント（２０）を自立可能とすると共に、連結された支柱（１・・・１）及び支柱ジョイント（２０）を複数組自立させ、これらの間に収容部材（Ｓ）を掛け渡す組み立て式家具において、支柱ジョイント（２０）の３方向（２０Ａ、２０Ｂ、２０Ｃ）における支柱（１、１、１）の連結位置同士を結ぶ辺により構成される三角形を正三角形以外の三角形に設定して、支柱ジョイント（２０）の向きを変えることにより、それぞれの辺に合致した複数種の奥行きの収容部材（Ｓ）を掛け渡すことを可能とした組み立て式家具。
【発明の詳細な説明】
【０００１】
【発明の属する技術分野】
この発明は、家庭用又は業務用の組み立て式家具に関する。
【０００２】
【従来の技術】
従来、棚板や筐体等の収容部材に複数本の支柱を嵌挿・連結することにより組み立てられる組み立て式家具が公知であった。
そして、この種の組み立て式家具は、収容部材の四隅に支柱を配した計４本の支柱を連結した構成からなった。
【０００３】
【発明が解決しようとする課題】
しかしながら、上記の組み立て式家具は次の問題点を有した。
▲１▼この種の組み立て式家具においては、支柱を棚板や筐体等の収容部材に連結することにより組み立て式棚が初めて自立するが、１個の収容部材の四隅に４本の支柱を同時に連結して、更に自立させる作業は、特に収容部材が長尺の場合には重量面及び部屋のスペースの点から非常に難しく、一人では作業が事実上不可能であった。
▲２▼収容部材自体に組み立て式家具全体の剛性を保たせる機能を負わせているので、収容部材の厚みや寸法及び素材に制限が生じ、構成の自由度が少なかった。
▲３▼複数個の家具同士を並べる場合には、例えば２個の家具を並べるのに、８本の支柱を要し、無駄が多かった。
▲４▼コーナー部分に複数の家具を配する場合には、一方の家具の端部で他方の家具の正面が塞がれてしまい、デッドスペースが生じた。
【０００４】
【課題を解決するための手段】
この発明は以上の従来技術の問題点に鑑み、全く新たな発想による組み立て式家具を提供することを目的として創作されたものであり、収容部材とは別に、これを受け止めるための支柱ジョイントを用意し、この支柱ジョイントにより複数本の支柱を間隔を置いて連結することによって、連結された支柱及び支柱ジョイントを自立可能とすると共に、連結された支柱及び支柱ジョイントを複数組自立させ、これらの間に収容部材を掛け渡すことを特徴とする。
【０００５】
よって、この発明の組み立て式家具によれば、必要とする収納部材の長さに関わりなく、連結させる支柱は決められた寸法の支柱ジョイントの範囲内で済むので、連結作業が極めて容易で、又、自立も容易であり、どんなに長く又重い収容部材を有する組み立て式家具であっても一人で組み立て可能な作用を生じる。
【０００６】
又、自立した複数組の支柱及び支柱ジョイントの間に収容部材を掛け渡すので、各支柱ジョイントに連結される支柱は自立可能な最低限の本数である３本であっても何等支障は無く、この場合支柱ジョイントの３方向における支柱の連結位置同士を結ぶ辺により構成される三角形を正三角形以外の三角形に設定することにより、それぞれの辺に合致した奥行きの棚が構成可能となるので、一つの基本セットで複数種の奥行きの収容部材を使用可能となり、製造上、流通上、使用上における部材の合理化作用を生じる。
【０００７】
【発明の実施の形態】
以下、この発明の組み立て式家具の実施例を添付図面に基づいて説明する。
この実施例では家具として棚を想定している。
図１はこの実施例における家具の要部を示す図であり、図中符号２０は支柱ジョイント、１はこの支柱ジョイントに連結される支柱、Ｓはこの支柱ジョイントにより受け止められる収容部材（棚板）を指す。
この実施例では、支柱ジョイント２０の３方向２０Ａ、２０Ｂ、２０Ｃに３本の支柱１、１、１を連結すると共に、３方向における各支柱の連結位置同士を結ぶ辺により構成される三角形を不等辺の直角三角形にしているが、後記するように支柱の本数及び各辺の関係はこれに限られない。
又、支柱ジョイント２０はこの実施例においては材料取り及び重量の問題からプラスチックにより３方向に腕が伸びたスケルトン状のものを例示しているが、材質及び形状はこれに限られるものでなく、例えば平板状のものであってもよいことは勿論である。
【０００８】
図７乃至図１１はこの発明における支柱ジョイント２０と支柱１との連結手段の一例を示す図であり、この実施例においては支柱は支柱ジョイントに嵌着されるエンド部材を介して支柱ジョイントに連結される構成としている。
図中符号３０は支柱１と支柱ジョイント２０を連結するためのエンド部材であり、支柱ジョイント２０と別体に構成される。
このエンド部材３０は開放状態において支柱１が貫挿可能で、閉止状態において支柱１を挟持する一部開放の環状とすると共に、この開放両端のそれぞれに上方に向かったテーパ片ＴＡ、ＴＢを有する張り出し部３１Ａ、３１Ｂが一対設けられる。
このエンド部材３０はここではある程度の弾性を有するプラスチック製により一体に構成することにより開閉自在としているが、一対の分割片の一端をヒンジ部により連結することにより開閉自在としてもよいことも勿論である。
又、開放の度合いは少なくとも支柱１を貫挿できることが必須であるが、更に進んで支柱１が開放部から横方向に環内に進入できる程度に開放できるように構成することが望ましく、こうすることによりエンド部材を支柱の上端から外挿する必要がなくなるので、棚の組み立て状態において上方に支柱ジョイントが存在する場合でも、エンド部材を支柱の中途から外挿することが可能となる。
尚、エンド部材３０は通常の状態において支柱１を軽く挟持する程度に閉止しているように構成しておくと、後記する支柱への仮止め時に便利である。
【０００９】
図中符号２１は、支柱１に外挿したエンド部材３０の張り出し部３１Ａ、３１Ｂが嵌挿されるよう支柱ジョイント２０に設けられる挿入穴である（図１０は支柱ジョイント２０を下方から観察して挿入穴２１の開口を示した図である。）。この挿入穴２１は支柱ジョイント２０の底面側を開口とすると共にエンド部材３０の閉止状態における張り出し部３１Ａ、３１Ｂの形状に対応させることにより、エンド部材の張り出し部へ挿入穴が外挿されるよう支柱ジョイントを上方から落とし込んだ際に、その挿入穴内壁と張り出し部のテーパ片ＴＡ、ＴＢとの楔作用によりエンド部材を閉止する作用を生じる。
以上のように、張り出し部３１Ａ、３１Ｂに支柱ジョイント２０の挿入穴２１を外挿することによりエンド部材３０は支柱ジョイントに嵌着されるが、この実施例においては、エンド部材の張り出し部側の外壁面３２が嵌着時に当接すべき内壁面２２を支柱ジョイントの端部に設けると共に、この内壁の上部に外壁面３２の上端が当接すべき鍔２３を設けることによりエンド部材と支柱ジョイント間にがたつきが生じないようにしている（図１０参照）。
尚、前記の楔作用を生じるためには、エンド部材３０の閉止状態において一対の張り出し部３１Ａ、３１Ｂのテーパ片ＴＡ、ＴＢが楔を構成することが必要であるが、単なる楔でなく錐体を構成することがより望ましい。
この場合には、楔作用は全周方向に作用するので外挿時にエンド部材３０が単に閉止されるだけでなく、エンド部材の張り出し部３１Ａ、３１Ｂ側が支柱ジョイント２０の端部に引き寄せられる作用も生じ、前記のエンド部材の外壁面３２は強圧力をもって支柱ジョイントの端部の内壁面２２に当接するので嵌着はより強固なものとなる。
尚、この実施例においては上記の錐体を採用しており、その一例として円錐を図示しているが、これに限らず例えば楕円錐や角錐でもよいことは勿論である。
【００１０】
この実施例においては、支柱１は支柱ジョイント２０に嵌着されるエンド部材３０により挟持・保持される。
この支柱は従来技術のように金属製のものであってもよいが、この実施例では全長方向に渡る複数本のリブ４を設けた弾性を有するプラスチック製の筒状の外皮３により、金属パイプの芯２の周囲を被覆したものを採用している。
よって、この支柱１の場合は、支柱の表面は弾性を有するプラスチック製の外皮３により被覆され、更にリブ４が施されているので、エンド部材３０の挟持により外皮部分が変形し、摩擦効果も相まって高い保持効果が生じる。
尚、この実施例においては、支柱１の外皮３の一部のリブ４に所要間隔をもって突起５（図１１参照）を施すと共に、エンド部材３０の内壁にこの突起５が係合する溝３４（図８参照）を施すことにより、支柱ジョイント２０の連結高さを一定させるためにエンド部材を支柱の所定箇所に位置させる位置決め作用を実現している。
【００１１】
以上の実施例の家具は次のように組み立てられる。
▲１▼先ず、支柱１にエンド部材３０を外挿し、所要位置で仮止めする（図８参照）。
▲２▼次いで、支柱ジョイント２０をその挿入穴２１がエンド部材３０の張り出し部３１Ａ、３１Ｂに外挿されるよう上方に位置させる（図９参照）。
▲３▼そして、支柱ジョイント２０をそのまま落とし込むことによりエンド部材３０に嵌着し、エンド部材３０により支柱１を挟持・保持する（図７参照）。
▲４▼以上の作業を支柱ジョイント２０の支柱１の各連結位置（この実施例においては３方向２０Ａ、２０Ｂ、２０Ｃ）に行うことにより、支柱ジョイントに複数本の支柱を連結させる。
▲５▼支柱ジョイント２０に連結させたことにより自立した複数本の支柱１に、上記の作業を繰り返すことにより所要段数の支柱ジョイントを設けていく。
▲６▼以上の連結された支柱及び支柱ジョイントを複数組自立させ、その間に収容部材Ｓを掛け渡して所望の家具を完成させる（図１参照）。
【００１２】
尚、この発明において支柱ジョイントと支柱との連結手段は以上のものに限定されるものではない。
図１３は支柱ジョイントと支柱との連結手段の異なる実施例を示す図であり、この実施例においては支柱は支柱ジョイントに挿入されるスリーブを介して支柱ジョイントに連結される構成としている。
即ち、ここでは金属製の支柱５０に複数の分割片５１Ａ、５１Ｂから構成されプラスチック製のスリーブ５１を装着した後、貫通穴５３を有する支柱ジョイント５２を支柱に外挿して、更にスリーブに外挿することにより、貫通穴によりスリーブを支柱の挟持方向に締め付けて、もって支柱ジョイントに支柱を連結している。
【００１３】
次に、組み立てられた家具の一例を図２及び図３に示す。
この発明においては、複数組自立させた支柱及び支柱ジョイント間に収容部材を掛け渡すだけで家具は充分な強度を保つが、この実施例においては耐震性を考慮して、次の２つの耐震手段を講じている。
その一は、両端にフック４２を有する連結杆４０により各組の支柱１同士を連結する手段であり、両端のフックを一対の支柱１、１に嵌着することにより連結杆は支柱１に連結される（図１及び図１２参照）。
尚、支柱１の所定箇所に連結杆４０を位置させる位置決め作用を実現するために、連結杆のフック４２の内壁には、前記した支柱１の外皮３のリブ４の突起５が係合すべき溝４３が施される。
その二は、公知の突っ張り棒作用を利用して一部の支柱１を天井面と床面間に突っ張り固定させる手段であり、ここでは各支柱１・・・１の下端に回転により上下動可能な床面への当接体６・・・６を設けると共に、家具の後方の両端の支柱１、１にはばねにより上方に附勢される突っ張り棒７、７を介して天井面への当接体８、８を設けている。
【００１４】
以上の実施例における組み立て式家具においては、支柱ジョイント２０の３方向２０Ａ、２０Ｂ、２０Ｃに３本の支柱１、１、１を連結すると共に、３方向における各支柱の連結位置同士を結ぶ辺により構成される三角形を不等辺の直角三角形にしているが、これにより支柱ジョイント２０の向きを変えることにより複数種の奥行きの収容部材Ｓに対応した組み立て式家具とすることが可能となる。図４乃至図６はそれを図解したものであり、図４においては支柱ジョイント２０の２０Ｂ方向の支柱１と２０Ａ方向の支柱１を結ぶ距離の奥行きを、図５においては同じく２０Ｂ方向の支柱１と２０Ｃ方向の支柱１を結ぶ距離の奥行きを、図６においては同じく２０Ａ方向の支柱１と２０Ｃ方向の支柱１を結ぶ線から２０Ｂ方向の支柱１に至る垂線の距離の奥行きをそれぞれ得ている。
【００１５】
又、以上の実施例における組み立て式家具においては、コーナーに沿って家具を配する場合に、最低限の本数の支柱で実現できると共に、デッドスペースが生じることがない。
図１５はそれを入隅のコーナーの場合を例にとって図解したものであり、ここでは紙面上方の収容部材Ｓ１は端部及びコーナー部共支柱ジョイント２０の２０Ｂ方向の支柱１と２０Ｃ方向の支柱１間の距離の奥行きを利用して掛け渡され、紙面下方の収容部材Ｓ２は端部においては支柱ジョイント２０の２０Ｂ方向の支柱１と２０Ｃ方向の支柱１間の距離の奥行きを、コーナー部においては同じく２０Ａ方向の支柱１と２０Ｃ方向の支柱１間の距離の奥行きを利用して掛け渡されている。
そして、両収容部材Ｓ１、Ｓ２はコーナー部において一枚の支柱ジョイント２０を共用して掛け渡され、収容部材Ｓ１の端部は収容部材Ｓ２の側面に突き合わされ、同一平面を保っている。
【００１６】
図１６はそれを出隅のコーナーの場合を例にとって図解したものであり、ここでは紙面上方の収容部材Ｓ２は端部及びコーナー部共支柱ジョイント２０の２０Ｂ方向の支柱１と２０Ｃ方向の支柱１間の距離の奥行きを利用して掛け渡され、紙面下方の収容部材Ｓ１は端部においては支柱ジョイント２０の２０Ｂ方向の支柱１と２０Ｃ方向の支柱１間の距離の奥行きを、コーナー部においては同じく２０Ａ方向の支柱１と２０Ｂ方向の支柱１間の距離の奥行きを利用して掛け渡されている。
そして、両収容部材Ｓ１、Ｓ２はコーナー部において一枚の支柱ジョイント２０を共用して掛け渡され、収容部材Ｓ１の端部は収容部材Ｓ２の側面に突き合わされ、同一平面を保っている。
【００１７】
尚、コーナーに沿って家具を配する場合に、寸法の異なる支柱ジョイントを混在させて、奥行きの異なる収容部材を使用することも可能である。
図１７はそれを入隅のコーナーの場合を例にとって図解したものであり、ここでは紙面上方の奥行きの深い収容部材Ｓ１は端部及びコーナー部共寸法が大きい支柱ジョイント２０の２０Ｂ方向の支柱１と２０Ｃ方向の支柱１間の距離の奥行きを利用して掛け渡され、紙面下方の奥行きの狭い収容部材Ｓ２は端部においては寸法が小さい支柱ジョイント２０の２０Ｂ方向の支柱１と２０Ｃ方向の支柱１間の距離の奥行きを、コーナー部においては寸法が大きい支柱ジョイント２０の２０Ａ方向の支柱１と２０Ｂ方向の支柱１間の距離の奥行きを利用して掛け渡されている。
そして、両収容部材Ｓ１、Ｓ２はコーナー部において寸法が大きい支柱ジョイント２０を共用して掛け渡され、収容部材Ｓ１の端部は収容部材Ｓ２の側面に突き合わされ、同一平面を保っている。
【００１８】
ところで、支柱ジョイント２０に連結されるべき支柱１の本数及び各支柱の連結位置同士を結ぶ辺の関係は以上の実施例のものに限られないことを前記した。図１４はその一例を示すものであり、ここでは支柱ジョイント２０の３方向２０Ｄ、２０Ｅ、２０Ｆに３本の支柱１、１、１を連結すると共に、３方向における各支柱の連結位置同士を結ぶ辺により構成される三角形を２等辺三角形にしている。
又、図１８もその一例を示すものであり、ここでは支柱ジョイント２０の４方向２０Ａ、２０Ｂ、２０Ｃ、２０Ｄに４本の支柱１、１、１、１を連結すると共に、４方向における各支柱の連結位置同士を結ぶ辺により構成される四角形を長方形にしている。
【００１９】
尚、以上の実施例において支柱ジョイント２０に掛け渡される収容部材Ｓとして棚板を例示したが、収容部材はこれに限られず例えば筐体や天板或いは他の部材であってもよいことは勿論である。
【００２０】
【発明の効果】
以上の構成よりなるこの発明は次の特有の効果を奏する。
▲１▼棚板や筐体等の収容部材の四隅に４本の支柱を同時に連結して、更に自立させる構成ではなく、連結された支柱及び支柱ジョイントを複数組自立させ、これらの間に収容部材を掛け渡す構成なので、必要とする収納部材の長さに関わりなく、連結させる支柱は決められた寸法の支柱ジョイントの範囲内で済むので、連結作業が極めて容易で、又、自立も容易であり、どんなに長く又重い収容部材を有する組み立て式家具であっても一人で組み立て可能となる。
【００２１】
▲２▼自立した複数組の支柱及び支柱ジョイントの間に収容部材を掛け渡すので、各支柱ジョイントに連結される支柱は自立可能な最低限の本数である３本であっても何等支障は無く、この場合支柱ジョイントの３方向における支柱の連結位置同士を結ぶ辺により構成される三角形を正三角形以外の三角形に設定することにより、それぞれの辺に合致した奥行きの棚が構成可能となるので、一つの基本セットで複数種の奥行きの収容部材を使用可能となり、製造上、流通上、使用上における部材の合理化が図られる。
【００２２】
▲３▼実施例で詳説したようにコーナーに沿って家具を配する場合でも、最低限の本数の支柱及び支柱ジョイントで実現できると共に、デッドスペースが生じることがない。
【図面の簡単な説明】
【図１】この発明の組み立て式家具の実施例の要部の斜視図。
【図２】この発明の組み立て式家具の実施例の正面図。
【図３】同上、側面図。
【図４】この発明の組み立て式家具の支柱ジョイントの配置例を示す要部の平面図。
【図５】この発明の組み立て式家具の支柱ジョイントの配置例を示す要部の平面図。
【図６】この発明の組み立て式家具の支柱ジョイントの配置例を示す要部の平面図。
【図７】この発明の組み立て式家具の実施例の連結機構の斜視図。
【図８】同上、分解斜視図。
【図９】同上、組み立て途中の斜視図。
【図１０】同上、支柱ジョイントを底面方向から観察した斜視図。
【図１１】同上、支柱の一部切り欠き斜視図。
【図１２】この発明の組み立て式家具の実施例の連結杆の斜視図。
【図１３】この発明の組み立て式家具の異なる実施例の連結機構の斜視図。
【図１４】この発明の組み立て式家具の支柱ジョイントの異なる実施例の平面図。
【図１５】この発明の組み立て式家具の支柱ジョイントの配置例を示す要部の平面図。
【図１６】この発明の組み立て式家具の支柱ジョイントの配置例を示す要部の平面図。
【図１７】この発明の組み立て式家具の支柱ジョイントの配置例を示す要部の平面図。
【図１８】この発明の組み立て式家具の支柱ジョイントの異なる実施例の平面図。
【符号の説明】
１              支柱
２０            支柱ジョイント
Ｓ              収容部材
【図１】
0004105289.tif 000002
【図２】
0004105289.tif 000003
【図３】
0004105289.tif 000004
【図４】
0004105289.tif 000005
【図５】
0004105289.tif 000006
【図６】
0004105289.tif 000007
【図７】
0004105289.tif 000008
【図８】
0004105289.tif 000009
【図９】
0004105289.tif 000010
【図１０】
0004105289.tif 000011
【図１１】
0004105289.tif 000012
【図１２】
0004105289.tif 000013
【図１３】
0004105289.tif 000014
【図１４】
0004105289.tif 000015
【図１５】
0004105289.tif 000016
【図１６】
0004105289.tif 000017
【図１７】
0004105289.tif 000018
【図１８】
0004105289.tif 000019